(57)【要約】【課題】少ない台数のカメラの画像データをもとに計数対象領域に滞在する人数を計数できる人数計数装置及び機器制御システムを提供する。【解決手段】人数計数装置１は、計数対象領域の出入口付近の画像データを取得する画像データ取得部１１と、画像データ取得部１１が取得した画像データをもとに計数対象領域の滞在人数を求める演算部１２とを具備する。演算部１２は、出入口付近での人の移動方向において画像データを複数に区切る仮想ゲートを設定する仮想ゲート設定手段１２ａと、異なる時点で取得された画像データを比較することによって仮想ゲートを通過する人数を求める通過人数検出手段１２ｂと、通過人数を計数することによって計数対象領域に滞在する人数を求める滞在人数検出手段１２ｃと、異なる時点で取得された画像データを比較することによって仮想ゲート付近で停留する人数を計数する停留人数検出手段１２ｄとを備える。【選択図】図１
2010033195.tif 000002
【特許請求の範囲】
【請求項１】
滞在人数の計数対象である計数対象領域の出入口付近の画像データを取得する画像データ取得部と、画像データ取得部が取得した画像データをもとに前記計数対象領域の滞在人数を求める演算部とを具備し、当該演算部が、出入口付近での人の移動方向において前記画像データを複数に区切る仮想ゲートを設定する仮想ゲート設定手段と、異なる時点で取得された画像データを比較することによって前記仮想ゲートを通過する人数を求める通過人数検出手段と、通過人数検出手段の検出結果をもとに前記計数対象領域に滞在する人数を求める滞在人数検出手段とを備えることを特徴とする人数計数装置。
【請求項２】
異なる時点で取得された画像データを比較することによって前記仮想ゲート付近で停留する人数を計数する停留人数検出手段を前記演算部に設けたことを特徴とする請求項１記載の人数計数装置。
【請求項３】
請求項１又は２の何れかに記載の人数計数装置と、前記計数対象領域を含む制御空間の環境を制御する環境制御機器と、人数計数装置が求めた人数分布に基づいて環境制御機器の動作を制御する制御装置とを備えたことを特徴とする機器制御システム。
【発明の詳細な説明】
【技術分野】
【０００１】
本発明は、人数計数装置及びそれを用いた機器制御システムに関するものである。
【背景技術】
【０００２】
近年、地球環境の保護やコスト削減を目的として各方面で省エネルギー対策が進められており、スーパーマーケットのような商業施設では、総電力使用量のうち照明設備で使用される電力量の割合が多いため、照明設備の電力使用量を削減したいという要求があった。また商業施設では照明をなるべく明るくすることが好ましいが、時間帯や顧客数によっては照明を暗くしても良い場合があり、顧客数に応じて照明設備の動作を制御したいという要求もあった。
【０００３】
従来、顧客数に応じて照明器具を制御するシステムとして特許文献１に開示されるような照明システムが提案されていた。この照明システムでは、店舗の商品売り場に複数台のカメラが設置され、それぞれのカメラが店舗内の対応するエリアを撮像領域として撮像している。ここで、各カメラで異なる時点に撮影された２枚の画像の差分を求めることによって、店舗内にいる客の動線を求めるとともに、客の動線データをもとに、店舗内を複数に区分した各エリア毎の人数分布を求めていた。そして、照明制御手段は、店舗内の人数分布に応じて各エリアに設置された照明器具の光出力を制御しており、例えばあるエリアの顧客の存在分布が予め定めた存在分布よりも少ない場合は、このエリアに設置された照明器具の光出力を通常の照明条件よりも暗くなるように制御していた。
【特許文献１】特開２００４−１７８１２９号公報
【発明の開示】
【発明が解決しようとする課題】
【０００４】
上記構成の制御システムでは、店舗内の顧客数やその分布を求めるために、店舗内を複数に区分したエリア毎にカメラを設置しているため、複数台のカメラが必要になり、また複数台のカメラの画像データを処理する回路が必要になるという問題もあった。
【０００５】
本発明は上記問題点に鑑みて為されたものであり、その目的とするところは、少ない台数のカメラの画像データをもとに計数対象領域に滞在する人数を計数できる人数計数装置及び機器制御システムを提供することにある。
【課題を解決するための手段】
【０００６】
上記目的を達成するために、請求項１の発明は、滞在人数の計数対象である計数対象領域の出入口付近の画像データを取得する画像データ取得部と、画像データ取得部が取得した画像データをもとに計数対象領域の滞在人数を求める演算部とを具備し、当該演算部が、出入口付近での人の移動方向において画像データを複数に区切る仮想ゲートを設定する仮想ゲート設定手段と、異なる時点で取得された画像データを比較することによって仮想ゲートを通過する人数を求める通過人数検出手段と、通過人数検出手段の検出結果をもとに計数対象領域に滞在する人数を求める滞在人数検出手段とを備えることを特徴とする。
【０００７】
請求項２の発明は、請求項１の発明において、異なる時点で取得された画像データを比較することによって仮想ゲート付近で停留する人数を計数する停留人数検出手段を演算部に設けたことを特徴とする。
【０００８】
請求項３の発明は、請求項１又は２の何れかに記載の人数計数装置と、計数対象領域を含む制御空間の環境を制御する環境制御機器と、人数計数装置が求めた人数分布に基づいて環境制御機器の動作を制御する制御装置とを備えたことを特徴とする。
【発明の効果】
【０００９】
請求項１の発明によれば、計数対象領域の出入口付近の画像データを画像データ取得部が取得すると、画像データ内に設定された仮想ゲートを通過する人数を通過人数検出手段が検出し、その検出結果をもとに滞在人数検出手段が計数対象領域内の人数を求めているので、計数対象領域の出入口付近を撮像可能な位置だけにカメラを設置すれば良く、計数対象領域内を撮像するために複数台のカメラを設置する必要がないから、少ない台数のカメラで計数対象領域内の人数を計数可能な人数計数装置を実現することができる。
【００１０】
請求項２の発明によれば、仮想ゲート付近に停留する人数を計数しているので、例えば店舗などで集客行事を行っている場所に仮想ゲートを設定すれば、仮想ゲート付近に停留している人数から集客効果を把握することができる。
【００１１】
請求項３の発明によれば、人数計数装置では少ない台数のカメラで計数対象領域内の人数を計数することができるので、その計数結果に応じた動作を環境制御機器に行わせることで、制御空間の環境を計数対象領域内の人数に応じて制御することができる。
【発明を実施するための最良の形態】
【００１２】
本発明の実施の形態を図面に基づいて説明する。なお以下の形態では、人数計数装置により計数対象領域であるスーパーマーケットのような店舗内の人数を計数し、その計数結果に応じて店舗内に設置された照明器具（環境制御機器）の動作を制御する機器制御システムについて図面を参照して説明を行う。
【００１３】
図１は本実施形態のシステム構成図であり、本システムは、人数計数装置１と、基本制御装置２と、点灯制御装置３と、全般照明器具４と、重点照明器具５とを主要な構成として備えている。また図２（ａ）は本システムが適用される店舗１００の平面図であり、店舗１００の内部は売場１０１とレジゾーン１０２とに大きく分かれている。また店舗１００は四方を壁１０３で囲まれており、レジゾーン１０２側の壁１０３の２箇所には店舗１００内に出入りするための出入口１０４，１０５が設けられている。
【００１４】
店舗１００内には計数対象領域を含む制御空間（店舗内の空間）の照明環境を制御する環境制御機器として全般照明器具４及び重点照明器具５が設置されている。
【００１５】
全般照明器具４には、例えば蛍光ランプを光源とする蛍光灯照明器具４ａや、ＨＩＤランプを光源とするＨＩＤ照明器具４ｂなどがある。全般照明器具４は店舗内の通路、什器陳列部、レジゾーンなどに設置され、店舗内を移動したり商品を選定したりするのに必要な基本的な明るさを提供するものである。重点照明器具５には、例えば蛍光ランプを光源とする蛍光灯壁面照明器具５ａや、ハロゲンランプを光源とするハロゲンスポットライト５ｂや、コンパクト型蛍光ランプを光源とするコンパクト型蛍光灯スポットライト５ｃや、ＨＩＤランプを光源とするＨＩＤスポットライト５ｄなどがある。スポットライト５ｂ〜５ｄのような重点照明器具５は、例えば顧客に注目させたい什器や売場などの近傍に設置され、什器や売場などを重点照明することによって、顧客の目を引き付ける効果を与えたり、商品の特徴を表現する役割を果たすものである。また蛍光灯壁面照明器具５ａのような重点照明器具５は、壁や柱などを照明することによって、空間の明るさ感を演出するものである。尚、環境制御機器として、全般照明器具４及び重点照明器具５に加えて、空間の賑わいや店舗の役割などを演出する目的で使用される装飾照明器具を備えても良い。
【００１６】
人数計数装置１は画像データ取得部１１と演算部１２と記憶部１３と表示部１４とで構成される。
【００１７】
画像データ取得部１１は、計数対象領域の出入口付近を撮像する撮像手段から画像データを取得し、取得した画像データを演算部１２に出力するものである。ここで、店舗１００には出入口１０４，１０５が２箇所設けられているので、出入口１０４，１０５の内側領域をそれぞれ撮像エリアとする２台のカメラ１１ａ，１１ｂが設けられており、画像データ取得部１１では２台のカメラ１１ａ，１１ｂから画像データを取得して演算部１２に出力する。尚、図２（ａ）中のＡ１，Ａ２はそれぞれカメラ１１ａ，１１ｂの撮像エリアを示している。
【００１８】
各カメラ１１ａ，１１ｂの撮像方向は出入口１０４，１０５を通る人の移動方向（動線）に対して略垂直な方向に設定されており、店内にいる人が撮影されないように内側から壁面方向を撮影するのが好ましい。また、画像データ取得部１１では、カメラ１１ａ，１１ｂによって撮像された画像データの画素を間引くことによって、人体の判別は可能であるが、個人の特定は不可能な程度の画素レベルに圧縮、縮退させた状態で演算部１２に出力している。またカメラ１１ａ，１１ｂの設置場所付近にはカメラが動作中であることを表示するのが好ましい。
【００１９】
演算部１２は仮想ゲート設定手段１２ａと通過人数検出手段１２ｂと滞在人数検出手段１２ｃと停留人数検出手段１２ｄとを備え、所定の撮影間隔で画像データ取得部１１（カメラ１１ａ，１１ｂからなる）が取得した画像データをもとに店舗１００内の計数対象領域（売場１０１及びレジゾーン１０２）に滞在する人数や出入口付近で停留する人数を求めるとともに、判定画面を表示部１４に表示させる。
【００２０】
仮想ゲート設定手段１２ａは、各カメラ１１ａ，１１ｂが取得した画像データ内に仮想ゲートを設定する。ここで、図２（ｂ）はカメラ１１ａ，１１ｂの撮像エリアＡ１，Ａ２をカメラ１１ａ，１１ｂの設置位置から見た図であり、仮想ゲート設定手段１２ａは、出入口１０４，１０５を通過する人の進行方向Ｄにおいて撮像エリアＡ１，Ａ２内を複数の領域に分割するように仮想ゲートＧを設定する（図２及び図３参照）。
【００２１】
通過人数検出手段１２ｂは、各カメラ１１ａ，１１ｂについて異なる時点で撮影された２枚の画像データを比較することによって、仮想ゲートＧを越えて右方向或いは左方向にそれぞれ移動する人数を検出する。すなわち通過人数検出手段１２ｂでは、店舗内に入ってくる人数（入場者数）と、店舗から外に出て行く人数（退場者数）をそれぞれ検出することができる。
【００２２】
滞在人数検出手段１２ｃは、通過人数検出手段１２ｂが求めた各出入口１０４，１０５の通過人数（入場者数及び退場者数）を集計することによって、店舗１００内に滞在している人数を求め、検出結果を記憶部１３に記憶させるとともに、基本制御装置２へ送信する。
【００２３】
停留人数検出手段１２ｄは、各カメラ１１ａ，１１ｂについて異なる時点で撮影された２枚の画像データを比較することによって、仮想ゲートＧの近傍で停留する人数を求め、検出結果を記憶部１３に記憶させる。
【００２４】
一方、基本制御装置２は人数情報受信部２１と点灯モード選択部２２と点灯モード管理部２３とを備え、人数計数装置１により計数された店舗内の人数に基づいて全般照明器具４の制御モードを予め設定された制御モード（繁忙期モード、閑散期モード）から選択する処理を行う。ここにおいて、閑散期モードとは店舗内の客数が所定の閾値未満の場合の制御モードであり、全般照明器具４の光出力を繁忙期モードに比べて相対的に増加させることで、店舗１００内を明るくして、外部から店舗内に客が入りやすくしている。一方、繁忙期モードとは店舗１００内の客数が閾値以上の場合の制御モードであり、全般照明器具４の光出力を閑散期モードに比べて相対的に低下させることで、重点照明器具５による照度と、全般照明器具４による照度との比を大きくして、重点照明器具５による演出効果（客の目を引き付ける効果など）を向上させるとともに、電力使用量の低減を図っている。
【００２５】
人数情報受信部２１は、所定の計測間隔で人数計数装置１の演算部１２から送信された計数結果を受信し、受信した人数を点灯モード選択部２２に出力する。
【００２６】
点灯モード選択部２２は、人数情報受信部２１が受信した人数の計数結果と所定の閾値との高低を比較することによって、繁忙期か閑散期かを判定し、判定結果を点灯制御装置３に出力する。尚、繁忙期か閑散期かを判定する際に用いる閾値は、基本制御装置２が備える入力手段（図示せず）を用いて店舗１００毎に手動で設定しても良いし、複数の店舗１００を統括する本部の管理装置（図示せず）と基本制御装置２との間で通信を行うことによって、本部の管理装置から各店舗１００の基本制御装置２に閾値を設定しても良い。
【００２７】
点灯モード管理部２３では、点灯制御装置３から入力される状態監視信号をもとに、全般照明器具４及び重点照明器具５の点灯制御モードやそのときの電力使用量のデータを管理する。
【００２８】
また、点灯制御装置３は、全般照明器具４を制御するための全般照明制御部３１と、重点照明器具５を制御するための重点照明制御部３２と、予め設定された開始時刻又は終了時刻がくると、スケジュール制御の開始信号又は終了信号を各制御部３１，３２に出力するタイマー３３とを備える。
【００２９】
ここで、２４時間営業の店舗１００では例えば早朝や深夜の時間帯とそれ以外の時間帯（昼間や夜間など）とで照明器具４，５の制御状態を切り替えており、早朝・深夜の時間帯の開始時刻及び終了時刻がタイマー３３に設定されている。また１７時間営業の店舗１００では、営業時間帯と、準備或いは終業後の整理を行う時間帯とで照明器具４，５の制御状態を切り替えており、営業時間帯の開始時刻および終了時刻がタイマー３３に設定されている。
【００３０】
また全般照明制御部３１には、複数の全般照明器具４を予め設定されたパターンで点灯させるための設定シーンとして、３つの設定シーンＡ，Ｂ，Ｃの制御情報が予め設定されている。ここで、設定シーンＡは、早朝及び深夜の時間帯に全般照明器具４を最低限の明るさで点灯させるためのシーン情報である。また設定シーンＢは、早朝及び深夜以外の時間帯において、繁忙期に全般照明器具４を点灯させるためのシーン情報であり、水平面照度が閑散期に比べて相対的に暗めとなるように全般照明器具４を点灯させるためのシーン情報である。また更に設定シーンＣは、早朝及び深夜以外の時間帯において、閑散期に全般照明器具４を点灯させるためのシーン情報であり、水平面照度が繁忙期に比べて相対的に明るくなるように全般照明器具４を点灯させるためのシーン情報である。
【００３１】
そして全般照明制御部３１では、タイマー３３からの開始信号及び終了信号と点灯モード選択部２２の選択信号とに基づいて何れかの設定シーンＡ，Ｂ，Ｃを選択すると、選択した設定シーンに基づいて、制御対象の全般照明器具４を調光したり、不要な場所の全般照明器具４を段調光或いは消灯させることによって、複数の全般照明器具４を選択された設定シーンに応じた点灯状態で点灯させる。
【００３２】
また重点照明制御部３２にも、複数の重点照明器具５を予め設定されたパターンで点灯させるための設定シーンとして、早朝及び深夜の時間帯に重点照明器具５を最低限の明るさで点灯させるためのシーン情報と、早朝及び深夜以外の時間帯で重点照明器具５を所定の明るさで点灯させるためのシーン情報が予め設定されている。そして、重点照明制御部３２では、タイマー３３から入力される開始信号及び終了信号に基づいて設定シーンを決定し、決定した設定シーンに基づいて、制御対象の重点照明器具５を調光したり、不要な場所の重点照明器具５を消灯させることによって、複数の重点照明器具５を所定の設定シーンに応じた点灯状態で点灯させる。
【００３３】
なお、ハロゲン電球を用いる照明器具の場合は連続調光が容易であるが、ＨＩＤランプやコンパクト型蛍光ランプを用いる照明器具の場合は連続調光が困難な場合がある。したがって、コンパクト型蛍光ランプを光源とする照明器具の場合は、光源を複数個装備させ、点灯する光源の個数を増減させることで光出力を変化させれば良い。またＨＩＤランプを光源とするＨＩＤ照明器具の場合は、複数台のＨＩＤ照明器具を複数回路に分けておき、点灯させる回路を選ぶことで、点灯させるＨＩＤ照明器具の個数を調整すれば良い。複数台のＨＩＤ照明器具を回路分けする場合は、分電盤の盤内で複数の分岐回路に分けて配線し、点灯させる回路を選ぶことによって一部のＨＩＤ照明器具を消灯させるようにしても良いし、無線若しくは有線で点灯信号又は消灯信号をＨＩＤ照明器具に送信することによって、ＨＩＤ照明器具側で動作を切り替えるようにしても良い。
【００３４】
本実施形態の機器制御システムは以上のような構成を有しており、図３及び図４を参照して本システムの動作を説明する。
【００３５】
人数計数装置１の演算部１２は、所定の撮影間隔が経過する毎に画像データ取得部１１からカメラ１１ａ，１１ｂの画像データを取得し、演算部１２の仮想ゲート設定手段１２ａが、取得した画像データＥを移動方向Ｄ（図３中の左右方向）において複数に区切る仮想ゲートＧを設定し、記憶部１３に記憶させる（図３参照）。演算部１２では画像データＥから人体の画像を抽出するとともに、演算部１２の通過人数検出手段１２ｂが、今回の画像データＥに存在する人物Ｂ１〜Ｂ４の位置を、前回撮影時の画像データＥに存在する人物Ｂ１〜Ｂ４の位置と比較し、仮想ゲートＧを越えて移動している場合はこの人物の移動方向を判定するとともに、仮想ゲートＧの近傍で停留している場合はこの人物が停留状態にあると判定する。
【００３６】
図３は表示部１４に表示される判定画面の一例を示している。表示部１４にはある時点で取得されたカメラ１１ａ又は１１ｂの画像データＥが表示され、画像データＥには複数の仮想ゲートＧが設定されている。図３の判定画面では４人の人物Ｂ１〜Ｂ４が抽出されており、前回撮影時の画像データと比較した結果、左端及び右端の人物Ｂ１，Ｂ４は右方向へ移動中、左から２人目の人物Ｂ２は左方向へ移動中、左から３人目の人物Ｂ３は仮想ゲートＧ付近で停留中と判断されている。尚、表示部１４の画面上側には各人物Ｂ１〜Ｂ４の判定結果を示すマークＭ１〜Ｍ３が各人物Ｂ１〜Ｂ４の上側に表示されており、右方向へ移動中は例えば青色、左方向へ移動中は例えば緑色、停留中は赤色というように色分け表示しているので、判定画面からどの人物がどの方向へ移動しているのか或いは停留中であるかを容易に読み取ることができる。
【００３７】
通過人数検出手段１２ｂが、各カメラ１１ａ，１１ｂの画像データから、各出入口１０４，１０５での入場者数および退場者数、並びに停留中の人数を検出すると、滞在人数検出手段１２ｃが各出入口１０４，１０５での入場者数及び退場者数を集計する。そして、滞在人数検出手段１２ｃは前回測定時の滞在人数に入場者数を加算するとともに、退場者数を減算することによって、現在店舗内に滞在する人数を求め、現在の時刻情報とともに記憶部１３に記憶させる。また停留人数検出手段１２ｄは、各出入口１０４，１０５で停留中の人数を集計（加算）することによって、停留中の人数の総和を求め、現在の時刻情報とともに記憶部１３に記憶させる。
【００３８】
このようにして、人数計数装置１が店舗内の滞在人数を計数すると、計数結果が基本制御装置２に送信され、基本制御装置２の点灯モード選択部２２では、人数情報受信部２１の受信した滞在人数を予め設定された閾値と比較することによって、繁忙期か閑散期かを判別し、判別結果を点灯制御装置３に出力する。
【００３９】
点灯制御装置３の全般照明制御部３１は、タイマー３３から入力される開始信号及び終了信号と、人数計数装置２の判定結果とに基づいて設定シーンを決定しており、早朝・深夜の時間帯であれば設定シーンＡに決定する。また早朝・深夜以外の時間帯では、全般照明制御部３１は、人数計数装置２の判定結果が繁忙期であれば設定シーンＢに、判定結果が閑散期であれば設定シーンＣに決定する。図４は照明器具全体の電力使用量の推移を示し、図中のアは本実施形態の場合の電力使用量を、図中のイは繁忙期に閑散期に比べて全般照明器具４の光出力を低減させた場合の電力使用量を示している。図示するように本実施形態では、早朝・夜間の時間帯（６時〜９時、２１時〜２３時）は全般照明器具４及び重点照明器具５を最低限の明るさで点灯させるので、電力使用量は最も低くなる。一方、９時〜２１時の時間帯では全般照明制御部３１及び重点照明制御部３２が全般照明器具４及び重点照明器具４の明るさを早朝・夜間の時間帯に比べて明るくしており、繁忙期（９時〜１３時及び１６時〜２１時）には閑散期（１３時〜１６時）に比べて全般照明器具４の光出力を相対的に低下させることで、全般照明器具４による照度と重点照明器具５による照度との比を大きくし、重点照明器具５による照明効果を高めるとともに、電力使用量の低減を図ることができる。なお閑散期に比べて繁忙期に照明器具４，５の光出力を高める制御を行った場合、閑散期には照明器具４，５の光出力が低減されるため、店舗内の照明が全体的に暗くなり、店舗内に入りづらい印象を顧客に与えてしまうが、本実施形態では閑散期に店舗内の照明を明るくしているので、店舗内に入りやすい印象を顧客に与えることができる。また繁忙期の期間が長い場合には全体として電力使用量を低減することもできる。
【００４０】
以上説明したように、本実施形態に用いる人数計数装置１では、店舗１００内に設置したカメラ１１ａ，１１ｂで出入口付近を撮像しており、画像データ取得部１１がカメラ１１ａ，１１ｂの画像データを取得すると、演算部１２の仮想ゲート設定手段１２ａが、人の移動方向において画像データを複数に区切る仮想ゲートＧを設定するとともに、通過人数検出手段１２ｂが、異なる時点で取得された画像データを比較することによって仮想ゲートＧを入場方向又は退場方向に通過する人数を求め、滞在人数検出手段１２ｃが通過人数検出手段１２ｂの検出結果を集計することで滞在人数を求めているので、出入口付近を撮像可能な位置のみにカメラを設置すれば良く、背景技術で説明したシステムのように計数対象領域内を複数台のカメラを設置する必要がないから、少ない台数のカメラで計数対象領域内の人数を計数可能な人数計数装置を実現することができる。尚、画像データ取得部１１が画像データを取得する時間間隔としては、出入口付近を歩行する人物が、隣接する仮想ゲートＧの間を通過できる程度の時間に設定されている。
【００４１】
また基本制御装置２及び点灯制御装置３からなる制御装置では、人数計数装置１の計数結果に基づいて環境制御機器（全般照明器具４及び重点照明器具５）の動作を制御しているので、店舗内に滞在する人数の計数結果に応じた動作を環境制御機器に行わせることで、制御空間の環境を計数対象領域内の人数に応じて制御することができる。
【００４２】
また、スーパーマーケットのような店舗１００では、顧客に対して経営方針や社会貢献活動などをアピールするための告知を出入口１０４，１０５の近傍に設置する場合がある。例えば告知内容としては、この店舗の環境保護に対する取り組みやその実績を報知する表示があり、一例としては顧客に買い物袋の持参を呼びかける表示を行ったり、食品トレイや牛乳パックなどのリサイクル品の回収コーナーを設けた場合はその回収実績を表示するといった場合がある。また電力使用量を削減するための設備（例えば太陽光発電設備やコージェネレーション設備など）を導入した場合には、その設備による省エネルギー効果（例えば発電量或いは電力の削減量やその二酸化炭素換算量など）を顧客にアピールするような表示を行うことが考えられる。また来店者からの苦情に対する回答などを表示する場合も考えられる。
【００４３】
店舗１００の経営者にとって、上述のような告知を行った場合、その告知内容に顧客がどの程度関心を持ったかを把握したいというニーズがあるが、売上高や来店者数からは告知内容に関心を持った顧客がどの程度いたかを判断することは難しい。本実施形態の人数計数装置１では、停留人数検出手段１２ｄが、各カメラ１１ａ，１１ｂについて異なる時点で撮影された２枚の画像データを比較することによって、仮想ゲートＧの近傍で停留する人数を求めているので、出入口付近に顧客へのメッセージを掲示した場合には、停留人数検出手段１２ｄにより検出された停留人数から上記のメッセージに関心を示した顧客がどの程度いるかを推測することができる。また出入口付近で集客行事を行う場合には、停留人数検出手段１２ｄにより検出された停留人数から集客行事による集客効果を把握することもできる。尚、本実施形態では店舗内の滞在人数を計数するためにカメラ１１ａ，１１ｂで出入口付近を撮影しているが、ある場所に停留している人数を計数したい場合には、停留人数を計数したい場所をカメラで撮像し、その画像データから演算部１２により停留人数を求めるようにしても良い。
【図面の簡単な説明】
【００４４】
【図１】本実施形態の概略的なシステム構成図である。
【図２】（ａ）は同上を用いる店舗の平面図、（ｂ）はカメラの撮像範囲を説明する説明図である。
【図３】同上の人数計数装置の計数動作を説明する説明図である。
【図４】同上による全般照明器具の制御動作を説明する説明図である。
【符号の説明】
【００４５】
１  人数計数装置
２  基本制御装置（制御装置）
３  点灯制御装置（制御装置）
４  全般照明器具（環境制御機器）
５  重点照明器具（環境制御機器）
１１  画像データ取得部
１２  演算部
１２ａ  仮想ゲート設定手段
１２ｂ  通過人数検出手段
１２ｃ  滞在人数検出手段
１２ｄ  停留人数検出手段
【図１】
2010033195.tif 000003
【図２】
2010033195.tif 000004
【図４】
2010033195.tif 000005
【図３】
2010033195.tif 000006